(57)【要約】【課題】  着用物への取付け及び位置合わせが容易な吸収パッドを提供する。【解決手段】  着用者の鼠径部から臀部への方向を縦方向とする吸収パッド１は、縦長の液保持性の吸収体２，３と、吸収体２，３の上面を覆う、液透過性のトップシート４と、吸収体２，３の下面を覆う、液不透過性のボトムシート５と、縦方向に伸縮し且つトップシート４の横方向の両端部に沿った領域で起立する部分を有する起立シート６，６と、着用物に着脱可能に掛止するフック小片が、吸収パッド１の縦方向に１つ又は複数配置され、且つ横方向に間隔を有して配置されてなるフック部材８と、吸収体２，３の縦方向の両端部の一方又は両方であって且つ横方向の中間部の領域を投影したフック部材固定領域を有する着用物対向面５ｄと、を備える。【選択図】  図１
2019063408.tif 000002
【特許請求の範囲】
【請求項１】
着用者の鼠径部から臀部への方向を縦方向とする吸収パッドであって、
縦長の液保持性の吸収体と、
該吸収体の上面を覆う、液透過性のトップシートと、
該吸収体の下面を覆う、液不透過性のボトムシートと、
縦方向に伸縮し且つ該トップシートの横方向の両端部に沿った領域で起立する部分を有する起立シートと、
着用物に着脱可能に掛止するフック小片が、該吸収パッドの縦方向に１つ又は複数配置され、且つ横方向に間隔を有して配置されてなるフック部材と、
該吸収体の縦方向の両端部の一方又は両方であって且つ横方向の中間部の領域を投影したフック部材固定領域を有する着用物対向面と、
を備えることを特徴とする吸収パッド。
【請求項２】
前記フック部材を表面に固定したシートが、前記フック部材固定領域に固定されることを特徴とする請求項１記載の吸収パッド。
【請求項３】
前記ボトムシートが前記着用物対向面を有することを特徴とする請求項１又は２に記載の吸収パッド。
【発明の詳細な説明】
【技術分野】
【０００１】
本発明は、使い捨ておむつやパンツなどの着用物の内側表面に取付けて使用される吸収パッドに関する。
【背景技術】
【０００２】
尿取りパッド、失禁パッド、生理用ナプキンなどの吸収パッドは、一般に、使い捨ておむつやパンツなどの着用物の内側表面に取付けて使用される。尿や血液などを吸収した吸収パッドのみを交換することにより、おむつやパンツの交換頻度が減るので、労力的負担及び経済的コストが低減される。
【０００３】
吸収パッドは、一般に、使い捨ておむつやパンツなどの着用物の内側表面への取付け及び取外しが可能であるフックや粘着テープなどを備えている。以下の説明では、着用者の鼠径部から臀部への方向を、吸収パッドの前後方向、長手方向又は縦方向とし、また、着用者の左右方向を、吸収パッドの左右方向、幅方向又は横方向とする。
【０００４】
特許文献１には、従来の吸収パッドであって、長手方向中間部の吸収コアの有る領域に、長方形状の掛止手段を設けたもの、が開示されている。しかし、この吸収パッドを取付けたパンツを着用者に装着するときには、該吸収パッドの長手方向の両端部に着用者の脚が当たって、該吸収パッドの位置ずれや折れ曲がりが生じやすい。
【０００５】
特許文献１には、改良された吸収パッドであって、吸収パッドの長手方向両端部の吸収コアの無い領域に、該領域の幅方向全体にわたる横長帯状の掛止手段が設けられたもの、又は、該領域の幅方向両端部に１つずつ横長帯状の掛止手段が設けられたもの、が開示されている。しかし、これらの改良された吸収パッドを着用物の内側表面に取付けるときには、該吸収コアの無い（剛性が小さい）領域に掛止手段が設けられているので、該掛止手段が設けられた領域が製造工程や包装工程で該吸収パッドの内側或いは外側に折れ曲がりやすく、このため、該吸収パッドを着用物の内側表面に取り付けにくくなる。また、該吸収パッドの長手方向の離れた両端部で、横長の該掛止手段の全体の位置合わせをするのが容易ではなく、位置ずれが生じやすい。さらに、着用物を履いた状態で該吸収パッドの位置ずれを直す場合や交換する場合、該掛止手段を横方向に完全に引き剥がすことは、該吸収パッドを横方向の略全体にわたって着用物から離すことを必要とするところ、掛止手段を剥がす際に該吸収パッドがよじれるため、引き剥がした該掛止手段が誤って着用物の別の部位や該吸収パッド自体に付着してしまうことが起こりやすく、操作が容易ではない。該吸収パッドがよじれないようにするには、該吸収パッドを長手方向に引きはがせば良いが、横長の掛止手段を縦方向に引き剥がすこととなるため、強い力が必要であるのに加えて着用物を押さえておく必要も生じるので、片手で操作することは困難となり、老人や障がい者には容易ではない。
【０００６】
特許文献２には、他の従来の吸収パッドであって、吸収パッドの前側部及び後側部の左右に１つずつ、縦長の長方形状の止着部材が設けられたものが開示されている。止着部材は、吸収パッドの左右側縁から１０ｍｍ以上内方で、かつ、吸収体の左右側縁から１０ｍｍ以上内方の位置にある。止着部材同士の横方向の間隔は５０ｍｍ〜９０ｍｍ離れている。しかし、この吸収パッドは、前後左右に離れた４箇所に止着部材が配置されているので、該吸収パッドを着用物の内側表面に取付けるときに、該パッドが折れ曲がってシワが寄らないように４箇所の位置合わせするのは容易ではない。該パッドが折れ曲がってシワが寄った状態で止着してしまうと、排泄物が漏れるおそれがある。
【先行技術文献】
【特許文献】
【０００７】
【特許文献１】特開２０００−１３９９８２号公報
【特許文献２】特許第５８３３３４５号公報
【発明の概要】
【発明が解決しようとする課題】
【０００８】
本発明は、上記の事情を考慮したものであり、着用物への取付け及び位置合わせが容易な吸収パッドを提供することを目的とする。
【課題を解決するための手段】
【０００９】
本発明の一の態様は、着用者の鼠径部から臀部への方向を縦方向とする吸収パッドであって、縦長の液保持性の吸収体と、該吸収体の上面を覆う、液透過性のトップシートと、該吸収体の下面を覆う、液不透過性のボトムシートと、縦方向に伸縮し且つ該トップシートの横方向の両端部に沿った領域で起立する部分を有する起立シートと、着用物に着脱可能に掛止するフック小片が、該吸収パッドの縦方向に１つ又は複数配置され、且つ横方向に間隔を有して配置されてなるフック部材と、該吸収体の縦方向の両端部の一方又は両方であって且つ横方向の中間部の領域を投影したフック部材固定領域を有する着用物対向面と、を備えることを特徴とする。
【００１０】
本発明の他の態様は、前記態様の吸収パッドにおいて、更に、前記フック部材を表面に固定したシートが、前記フック部材固定領域に固定される。
【００１１】
本発明の更に他の態様は、前記各態様の吸収パッドにおいて、更に、前記ボトムシートが前記着用物対向面を有する。
【００１２】
本発明は、前記各態様に限定されない。本発明の更なる詳細、特徴、機能、及び効果は、以下の本発明の好ましい例示的な実施形態の説明によって更に明らかになる。
【図面の簡単な説明】
【００１３】
【図１】本発明の一の実施形態である吸収パッドの弾性体が収縮力を発揮していない状態での底面図である。
【図２】図１の吸収パッドのＩＩ―ＩＩ線断面を、トップシートを上方に配置して示した模式図である。
【図３】図１の吸収パッドのＩＩＩ―ＩＩＩ線断面を、トップシートを上方に配置して示した模式図である。
【図４】本発明の他の実施形態である吸収パッドの弾性体が収縮力を発揮していない状態での底面図である。
【図５】図４の吸収パッドのＶ―Ｖ線断面を、トップシートを上方に配置して示した模式図である。
【発明を実施するための形態】
【００１４】
図１ないし図３は、本発明の一の実施形態である吸収パッド１を示している。吸収パッド１は、着用者の前後方向すなわち着用者の鼠径部から臀部への方向を、縦方向とする。吸収パッド１は、上層吸収体２、下層吸収体３、トップシート４、ボトムシート５、着用物対向面５ｄ、起立シート６、弾性体７、及び、フック部材８を備えている。吸収パッド１は、図示しない使い捨ておむつやパンツなどの着用物の内側表面に取付けて、失禁用パッド、尿取りパッド、生理用ナプキン等として使用される。
【００１５】
吸収体２，３は、液保持性を有しており、尿や血液などの体液を素早く吸収して、内部に保持する。吸収体２，３は、着用者の前後方向を縦方向とする、縦長の形状である。吸収体２，３は夫々、着用者の鼠径部に対応する前部２ａ，３ａ、着用者の臀部に対応する後部２ｂ，３ｂ、及び、着用者の股間部に対応する中間部２ｃ，３ｃを有している。吸収体２，３は夫々、四隅２ｄ，２ｄ，２ｄ，２ｄ及び３ｄ，３ｄ，３ｄ，３ｄが丸みを有している。上層吸収体２の縦方向の中間部２ｃは、幅が略一定であり、且つ、前部２ａ及び後部２ｂの各最大幅よりも狭い。下層層吸収体３の縦方向の中間部３ｃは、幅が略一定であり、且つ、前部３ａ及び後部３ｂの各最大幅よりも狭い。
【００１６】
上層吸収体２は前部２ａ及び後部２ｂが略同じ形状及び大きさである。下層吸収体３も前部３ａ及び後部３ｂが略同じ形状及び大きさである。そのため、吸収パッド１は前後の区別なく使用することができる。これに限らず、吸収パッドの種類やサイズに応じて、吸収体２，３の前部２ａ，３ａと後部２ｂ，３ｂの形状や大きさを異ならせてもよい。
【００１７】
下層吸収体３の縦方向の長さは、横方向中間部の前端３ｅ及び後端３ｆ間が最も長くなっている。下層吸収体３の横方向の幅は、着用者の鼠径部上部に対応する前部３ａの縦方向中間部の吸収体領域、及び、着用者の臀部に対応する後部３ｂの縦方向中間部の吸収体領域が最も広くなっている。これに限らず、前端３ｅ及び後端３ｆは縦方向の外向きに突出しなくてもよい。
【００１８】
上層吸収体２は、下層吸収体３の輪郭の範囲内にあり、下層吸収体３の上に全体的に重なっている。本発明の吸収体は、このようなに限られず、全体が一つの吸収体である一層構造でもよく、また、三層以上に重なった構造でもよく、また、複数の吸収体が部分的に積層された構造であってもよい。
【００１９】
吸収体２，３は、例えば、ロールシート状のパルプを解繊した吸水性繊維と、粉末状又は顆粒状の高吸水性ポリマーとを、吸引ドラムの周面に設置された成形型へ空気搬送し、成形型の中に吸引しながら堆積させて成形し、かかる成形物を吸水紙や不織布（図示しない）で包むことにより製造される。吸収体２，３は、材料の種類は同じであるが、これに限らず、上層吸収体２と下層吸収体３の材料の種類や配合割合を異なるものとして、夫々がより適切な機能や作用効果を奏するようにしてもよい。
【００２０】
トップシート４は、吸収体２，３全体の上面を覆っている。トップシート４は、着用者の前後方向を縦方向とし、縦長の形状であり、四隅４ａ，４ａ，４ａ，４ａが丸みを有している。トップシート４の縦方向の長さは、横方向中央部の前端４ｂ及び後端４ｃ間が最も長くなっている。トップシート４は、着用者の肌側に配置される。トップシート４は、液透過性を有しており、排出された尿や血液等の液状体は、トップシート４を透過して、吸収体２，３へ移る。トップシート４は液透過性を有し、例えば、ポリエチレン、ポリプロピレン、ポリエステル、ナイロン、レーヨン等の化学繊維、綿、セルロース等の天然繊維、またはこれらの組合せからなる不織布である。トップシート４は不織布に限られず、例えば液透過可能に形成された有孔フィルム、ティシュ、もしくはそれらの積層体、又はそれらを適宜つなぎ合わせてシート状にしたものでも良い。
【００２１】
ボトムシート５は、吸収体２，３全体の下面を覆っている。ボトムシート５はトップシート４と略同じ輪郭を有する。ボトムシート５は、着用者の前後方向を縦方向とし、縦長の形状であり、四隅５ａ，５ａ，５ａ，５ａが丸みを有している。ボトムシート５の縦方向の長さは、横方向中央部の前端５ｂ及び後端５ｃ間が最も長くなっている。ボトムシート５は、液不透過性を有しており、例えば、ポリエチレンフィルムなどの液不透過性の材料で形成される。ボトムシート５は、トップシート４を透過した液状体や、吸収体２，３が吸収し又は保持しきれなかった液状体が、外部へ漏れるのを防止する。
【００２２】
ボトムシート５の吸収体２，３と反対側の表面は、使い捨ておむつやパンツなどの着用物に対向する、吸収パッド１の着用物対向面５ｄを構成する。
【００２３】
起立シート６，６は、縦長の形状であり、後述する弾性体７を有し、トップシート４の横方向両端部の領域に沿って起立する部分を有する。起立シート６，６は、ボトムシート５の着用物対向面５ｄの横方向両端部に接着剤などで固定され、トップシート４及びボトムシート５の横方向両端縁に沿った折り目６ａ，６ａでトップシート４の上方へ折り返されている。起立シート６，６は，先端側の折り目６ｂ，６ｂでトップシート４側に折り返された折り返し部６ｃ，６ｃを有している。起立シート６，６は、トップシート４の横方向の周縁部に固定されている。また、先端側の起立する部分以外は、トップシート４の縦方向両端部に固定されている。
【００２４】
起立シート６は、液不透過性を有しており、例えば、ポリエチレン、ポリプロピレン、ポリエステル、ナイロン、レーヨン等の化学繊維、綿、セルロース等の天然繊維、又はこれらの組合せなどの材料からなる不織布である。起立シート６は、不織布に限られず、例えば、樹脂フィルム、ティッシュ、伸縮材、若しくは、それらの積層体、又はそれらを適宜つなぎ合わせてシート状としたものでもよい。
【００２５】
起立シート６，６は、縦方向に伸縮させる弾性体７を有する。弾性体７ａ，７ａは、吸収体２及び３の横方向両端部に沿うように、起立シート６，６の根本側の折り目６ａ，６ａの近傍に配置される。弾性体７ｃ，７ｃは、下層吸収体３の前部３ａの縦方向略中央から後部３ｂの縦方向略中央までの範囲で、起立シート６，６の先端側の折り目６ｂ，６ｂの内側に配置される。弾性体７ｂ，７ｂは、弾性体７ｃ，７ｃと略同じ長さであり、弾性体７ｃ，７ｃの横方向外側に間隔を有して並列している。弾性体７の本数や位置は、上記のものに限られない。各弾性体７の収縮力によって、起立シート６，６が起立すると共に収縮して立体ギャザーを形成し、着用者の股間部に密接して、排泄物等が横漏れするのを防止する。
【００２６】
弾性体７は、例えば、天然ゴム、ポリウレタン樹脂、伸縮性のホットメルト等の伸縮可能な糸状の材料により形成される。弾性体７は、糸状の弾性体だけでなく、起立シート６，６の所望の位置及び範囲で縦方向に伸縮させる帯状又はシート状の弾性体であってもよい。
【００２７】
フック部材８は、使い捨ておむつやパンツなどの着用物の表面に着脱可能に掛止するフック小片が集合したフック部材であり、面ファスナーとして知られる適切なフック部材を用いてよい。フック部材８は、吸収パッド１の縦方向に長い２つのフック小片が、横方向に間隔を有して並列に配置されている。並列するフック部材の数は、２つに限らず、３つ以上であってもよい。フック部材８の縦方向が吸収パッド１の縦方向と一致するので、フック部材８の位置合わせ及び取付けが容易であり、フック部材８の取外しも小さな力で可能である。また、比較的短いフック小片を間隔を有して並列すれば、安定して掛止できると共に、取外しが容易である。
【００２８】
フック部材８は、吸収パッド１の着用物対向面５ｄのフック部材固定領域に、接着剤や熱溶着などによって固定される。該フック部材固定領域は、下層吸収体３の縦方向両端部である前部３ａの前端３ｅ側の領域及び後部３ｂの後端３ｆ側の領域であって、且つ横方向中間部の領域の夫々を、ボトムシート５の着用物対向面５ｄに投影した領域である。上層吸収体２は、下層吸収体３の上に、下層吸収体３の輪郭の範囲内で、全体的に重なって、固定されている。該フック部材固定領域は、上層吸収体２の縦方向両端部である前部２ａの前端側の領域及び後部２ｂの後端側の領域であって、且つ横方向中間部の領域の夫々を、ボトムシート５の着用物対向面５ｄに投影した領域にも重なっている。複数の吸収体を部分的に又は全体的に積層させた吸収体全体についての前記フック部材固定領域は、このような吸収体全体の縦方向両端部の両方であって且つ横方向中間部の領域の夫々を、ボトムシートの着用物対向面に投影した領域であることが好ましい。またこれに限らず、フック部材は、吸収体２，３の縦方向両端部の一方であって且つ横方向中間部の領域だけに設けても良い。
【００２９】
フック部材８が固定される前記フック部材固定領域は、一般的な大人の手のひらの大きさより小さい範囲内にあることが好ましい。例えば、前記フック部材固定領域の前後方向の長さは、１ｃｍ〜８ｃｍ、好ましくは２ｃｍ〜５ｃｍである。前記フック部材固定領域の左右方向の長さは、２ｃｍ〜１０ｃｍであり、好ましくは３ｃｍ〜８ｃｍである。フック部材８も、一般的な大人の手のひらの大きさより小さい範囲内にあることが好ましい。例えば、２本のフック部材が並列する場合、各フック部材の縦方向の長さは、１ｃｍ〜８ｃｍ、好ましくは２ｃｍ〜５ｃｍである。各フック部材の横方向の長さは、０．５ｃｍ〜３ｃｍ、好ましくは１ｃｍ〜２ｃｍである。フック部材及び前記フック部材固定領域が前記範囲内の大きさである場合には、吸収体の前端側の横方向中央部と後端側の横方向中央部との２箇所を位置合わせして、トップシート４側から片手の手のひらで押しつけることにより、フック部材を着用物に容易に掛止させて、吸収パッドを着用物に取付けることができる。また、着用物から剥がす時も吸収パッドの縦方向の一方の端部を片手で持って軽く引き剥がすことができる。このとき着用物とは反対方向である上方に剥がす動作となるため、誤って着用物の別の部位に再度付着してしまうおそれがなく、老人や障がい者でも交換が容易である。
【００３０】
本発明のフック部材８の各フック小片は、吸収パッド１の縦方向に長い形状に限られない。例えば、略正方形状の複数のフック部材を、吸収パッド１の縦方向に間隔を有して断続的に直列に並べると共に、複数のかかるユニットを吸収パッド１の横方向に間隔を有して並列に配置してもよい。このようなフック部材８を固定する前記フック部材固定領域も、一般的な大人の手のひらの大きさより小さい範囲内にあることが好ましい。
【００３１】
弾性体７が収縮力を発揮して収縮すると、起立シート６，６は、弾性体７ａ，７ａが根本近傍にある縦方向中間部を中心として起立すると共に、弾性体７ｂ，７ｃが縦方向に配置された先端部が収縮して吸収パッド１の四隅を引っ張る。吸収パッド１は、上層吸収体２及び下層吸収体３の夫々の四隅が丸みを有している。そのため、吸収パッド１は、縦方向両端がボトムシート５側に凸となるようにゆるやかに湾曲した形状になると共に、横方向両端がボトムシート５側に凸となるようにゆるやかに湾曲した形状となる。その結果、ボトムシート５の着用物対向面５ｄのフック部材固定領域に固定されたフック部材８，８が、着用物側に張り出す。特に、フック部材８，８が固定されたフック部材固定領域は、下層吸収体３の上に上層吸収体２が全体的に積層された領域に重なるので、厚みと剛性が増している。上層吸収体２の四隅が丸みを有することで、吸収パッド１全体の湾曲がより強化される。従って、本発明の吸収パッド１は、着用物対向面５ｄのフック部材固定領域に固定されたフック部材８，８が着用物側に張り出すので、着用物への位置合わせ及び取付けが容易になる。
【００３２】
本発明の吸収パッドは、公知の様々な吸収パッドの製造方法を用いて製造することができる。図１に示す吸収パッド１にフック部材８，８を設ける場合、例えば、長いテープ状のフック部材を横方向の中心線で２本に切断し、この２本のテープを所望の長さに切断して２つのフック部材８，８を得る。この２つのフック部材８，８を、ボトムシート５の着用物対向面５ｄに固定する。このようにして、本発明のフック部材８を備えた吸収パッド１を容易に製造することができる。また、間隔を有して並列した３つのフック部材８，８，８を設ける場合は、上記の製造工程において、長いテープ状のフック部材を横方向に３本に切断すればよい。本発明の吸収パッドの製造工程では、各シートの材料であるウェブの流れる方向と同じ方向で、フック部材が連続するテープを流して、切断して、配置して、固定できる。そのため、吸収パッドの種類やサイズに応じて適切な係合強度が得られるように、吸収パッドに固定するフック部材の数及び長さを適宜変更することが容易である。フック部材の種類を変更して面積当たりの係合強度が変わる場合にも、フック部材の数及び長さを適宜変更することでフック部材の材料の量を適切にしてパッド取り付けの係合力を調整することができ、またコストの合理化もし易くなる。
【００３３】
次に、図４及び図５は、本発明の他の実施形態である吸収パッド１０を、弾性体が収縮力を発揮していない状態で示している。吸収パッド１０は、吸収パッド１と同様、図示しない使い捨ておむつやパンツなどの着用物の内側表面に取付けて、失禁用パッド、尿取りパッド、生理用ナプキン等として使用される。吸収パッド１０は、上層吸収体２、下層吸収体３、トップシート４、ボトムシート５、着用物対向面５ｄ、起立シート６、弾性体７、及び、フック部材８を備えており、これらの構造及び機能は吸収体１のものと同じなので説明を省略する。吸収パッド１０は、吸収パッド１とは異なり、フック部材用シート９を備えている。
【００３４】
図４及び図５に示すように、吸収パッド１０は、間隔を有して並列した２つの縦方向に長いフック部材８，８を表面に固定したフック部材用シート９が、吸収パッド１０の着用物対向面５ｄのフック部材固定領域に接着剤などで固定される。吸収パッド１０のフック部材用シート９の表面に固定されたフック部材８、及び、前記フック部材固定領域は、吸収パッド１の止着部８及び前記フック部材固定領域の各々と同じ構造及び機能を有するので、説明を省略する。
【００３５】
フック部材用シート９の表面に固定されるフック部材８は、縦方向に長い形状に限られない。例えば、略正方形状のフック部材を、吸収パッド１０の横方向に間隔を有して並べると共に、吸収パッド１０の縦方向にも間隔を有して並べて、フック部材用シートの表面に固定してもよい。また、２つの略正方形状のフック部材を吸収パッド１０の横方向に間隔を有して並べて、フック部材用シートの表面に固定し、複数のこのユニットを吸収パッド１の縦方向に間隔を有して前記フック部材固定領域に固定してもよい。これらのフック部材用シートを固定される前記フック部材固定領域も、一般的な大人の手のひらの大きさより小さい範囲内にあることが好ましい。
【００３６】
吸収パッド１０を製造する方法としては、例えば、フック部材用シート９の材料である長いシート材の表面に、２つのフック部材８，８の材料である２本の長いテープ状のフック部材を一定の間隔を開けて連続して固定した、フック部材付きテープを予め準備する。この工程はパッドの製造工程と同じライン上で行われることが望ましいが、あらかじめ別工程で準備されたものを使用しても良い。このフック部材付きテープを、吸収パッドの種類やサイズに応じた所望の長さに切断して、フック部材８，８の固定されたフック部材用シート９を得て、これを前記フック部材固定領域にそれぞれ固定する。このようにすれば、並列する複数のフック部材を一度に搬送してボトムシートに接着できるため吸収パッド１０を容易に製造することができる。
【００３７】
フック部材用シート９は、例えば、ポリエチレンフィルムなどの樹脂フィルムや不織布などで形成されるが、これに限らず、フック部材とボトムシートの両方と接着剤などで接着可能であり、さらに使用者がフック部材を着用物から取り外す際に破断や剥離が起らない強度がある素材であれば良い。
【００３８】
本発明は、前記の各実施形態に限定されない。本発明の範囲は、少なくとも、前記の各実施形態から自明な変形例、本発明の本質を変更しない変形例を含む。
【産業上の利用可能性】
【００３９】
本発明の吸収パッドは、使い捨ておむつやパンツなどの着用物の内側表面に取付けて、失禁用パッド、尿取りパッド、生理用ナプキン等として使用することができる。
【符号の説明】
【００４０】
１、１０：吸収パッド、  ２：上層吸収体、  ２ａ：前部、  ２ｂ：後部、  ２ｃ：縦方向の中間部、  ２ｄ：四隅、  ３：下層吸収体、  ３ａ：前部、  ３ｂ：後部、  ３ｃ：縦方向の中間部、  ３ｄ：四隅、  ３ｅ：前端、  ３ｆ：後端、  ４：トップシート、  ４ａ：四隅、  ５：ボトムシート、  ５ａ：四隅、  ５ｄ：着用物対向面、  ６：起立シート、  ７ａ，７ｂ，７ｃ：弾性体、  ８：フック部材、  ９：フック部材用シート
【図１】
2019063408.tif 000003
【図２】
2019063408.tif 000004
【図３】
2019063408.tif 000005
【図４】
2019063408.tif 000006
【図５】
2019063408.tif 000007
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
着用者の鼠径部から臀部への方向を縦方向とする吸収パッドであって、
縦長の液保持性の吸収体と、
該吸収体の上面を覆う、液透過性のトップシートと、
該吸収体の下面を覆う、液不透過性のボトムシートと、
縦方向に伸縮し且つ該トップシートの横方向の両端部に沿った領域で起立する部分を有する起立シートと、
着用物に着脱可能に掛止するフック小片が集合したフック部材と、
該フック部材が固定されたフック部材固定領域を有する着用物対向面と、を備え、
該フック部材固定領域は、該吸収体の縦方向の一方又は両方の端部であって且つ横方向の中間部である領域の夫々を、該着用物対向面に投影した領域であり、縦方向の長さが１ｃｍ〜８ｃｍ、好ましくは２ｃｍ〜５ｃｍであり、横方向の長さが２ｃｍ〜１０ｃｍ、好ましくは３ｃｍ〜８ｃｍであり、
夫々の該フック部材固定領域に固定された該フック部材は、該フック小片が、該吸収パッドの縦方向に１つ又は複数配置され且つ横方向に間隔を有して配置されてなることを特徴とする吸収パッド。
【請求項２】
前記フック部材を表面に固定したシートが、前記フック部材固定領域に固定されることを特徴とする請求項１記載の吸収パッド。
【請求項３】
前記ボトムシートが前記着用物対向面を有することを特徴とする請求項１又は２に記載の吸収パッド。
【手続補正２】
【補正対象書類名】明細書
【補正対象項目名】０００９
【補正方法】変更
【補正の内容】
【０００９】
本発明の一の態様は、着用者の鼠径部から臀部への方向を縦方向とする吸収パッドであって、縦長の液保持性の吸収体と、該吸収体の上面を覆う、液透過性のトップシートと、該吸収体の下面を覆う、液不透過性のボトムシートと、縦方向に伸縮し且つ該トップシートの横方向の両端部に沿った領域で起立する部分を有する起立シートと、着用物に着脱可能に掛止するフック小片が集合したフック部材と、該フック部材が固定されたフック部材固定領域を有する着用物対向面と、を備え、該フック部材固定領域は、該吸収体の縦方向の一方又は両方の端部であって且つ横方向の中間部である領域の夫々を、該着用物対向面に投影した領域であり、縦方向の長さが１ｃｍ〜８ｃｍ、好ましくは２ｃｍ〜５ｃｍであり、横方向の長さが２ｃｍ〜１０ｃｍ、好ましくは３ｃｍ〜８ｃｍであり、夫々の該フック部材固定領域に固定された該フック部材は、該フック小片が、該吸収パッドの縦方向に１つ又は複数配置され且つ横方向に間隔を有して配置されてなることを特徴とする。
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
着用者の鼠径部から臀部への方向を縦方向とする吸収パッドであって、
縦長の液保持性の吸収体と、
該吸収体の上面を覆う、液透過性のトップシートと、
該吸収体の下面を覆う、液不透過性のボトムシートと、
縦方向に伸縮し且つ該トップシートの横方向の両端部に沿った領域で起立する部分を有する起立シートと、
着用物に着脱可能に掛止するフック小片が集合したフック部材と、
該フック部材が固定されたフック部材固定領域を有する着用物対向面と、を備え、
該フック部材固定領域は、該吸収体の縦方向の一方又は両方の端部であって且つ横方向の中間部である領域の夫々を、該着用物対向面に投影した領域であり、縦方向の長さが１ｃｍ〜８ｃｍであり、横方向の長さが２ｃｍ〜１０ｃｍであり、
夫々の該フック部材固定領域に固定された該フック部材は、該フック小片が、該吸収パッドの縦方向に１つ又は複数配置され且つ横方向に間隔を有して配置されてなることを特徴とする吸収パッド。
【請求項２】
前記フック部材を表面に固定したシートが、前記フック部材固定領域に固定されることを特徴とする請求項１記載の吸収パッド。
【請求項３】
前記ボトムシートが前記着用物対向面を有することを特徴とする請求項１又は２に記載の吸収パッド。
【手続補正２】
【補正対象書類名】明細書
【補正対象項目名】０００９
【補正方法】変更
【補正の内容】
【０００９】
本発明の一の態様は、着用者の鼠径部から臀部への方向を縦方向とする吸収パッドであって、縦長の液保持性の吸収体と、該吸収体の上面を覆う、液透過性のトップシートと、該吸収体の下面を覆う、液不透過性のボトムシートと、縦方向に伸縮し且つ該トップシートの横方向の両端部に沿った領域で起立する部分を有する起立シートと、着用物に着脱可能に掛止するフック小片が集合したフック部材と、該フック部材が固定されたフック部材固定領域を有する着用物対向面と、を備え、該フック部材固定領域は、該吸収体の縦方向の一方又は両方の端部であって且つ横方向の中間部である領域の夫々を、該着用物対向面に投影した領域であり、縦方向の長さが１ｃｍ〜８ｃｍであり、横方向の長さが２ｃｍ〜１０ｃｍであり、夫々の該フック部材固定領域に固定された該フック部材は、該フック小片が、該吸収パッドの縦方向に１つ又は複数配置され且つ横方向に間隔を有して配置されてなることを特徴とする。
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
着用者の鼠径部から臀部への方向である前後方向を縦方向とする吸収パッドであって、
縦長の液保持性の吸収体と、
該吸収体の上面を覆う、液透過性のトップシートと、
該吸収体の下面を覆う、液不透過性のボトムシートと、
縦方向に伸縮し且つ該トップシートの横方向の両端部に沿った領域で起立する部分を有する起立シートと、
着用物に着脱可能に掛止するフック小片が集合した、縦方向の長さが２０ｍｍ以上５０ｍｍ以下であり且つ横方向の長さが１０ｍｍ以上２０ｍｍ以下であるフック部材と、
複数の該フック部材が横方向に間隔を有して並列して固定された、縦方向の長さが２０ｍｍ以上５０ｍｍ以下であり且つ横方向の長さが３０ｍｍ以上７０ｍｍ未満であるフック部材固定領域と、
該ボトムシートの該吸収体とは反対側の面にあり、該フック部材固定領域を有する着用物対向面と、を備え、
該フック部材固定領域は、該吸収体の前部の前端側の領域及び後部の後端側の領域の両方であって且つ横方向の中央部の領域の夫々を、該着用物対向面に投影した領域であることを特徴とする吸収パッド。
【請求項２】
前記フック部材を表面に固定したシートが、前記フック部材固定領域に固定されることを特徴とする請求項１記載の吸収パッド。
【手続補正２】
【補正対象書類名】明細書
【補正対象項目名】全文
【補正方法】変更
【補正の内容】
【発明の詳細な説明】
【技術分野】
【０００１】
本発明は、使い捨ておむつやパンツなどの着用物の内側表面に取付けて使用される吸収パッドに関する。
【背景技術】
【０００２】
尿取りパッド、失禁パッドなどの吸収パッドは、一般に、使い捨ておむつやパンツなどの着用物の内側表面に取付けて使用される。尿などを吸収した吸収パッドのみを交換することにより、おむつやパンツの交換頻度が減るので、労力的負担及び経済的コストが低減される。
【０００３】
吸収パッドは、一般に、使い捨ておむつやパンツなどの着用物の内側表面への取付け及び取外しが可能であるフックや粘着テープなどを備えている。以下の説明では、着用者の鼠径部から臀部への方向を、吸収パッドの前後方向、長手方向又は縦方向とし、また、着用者の左右方向を、吸収パッドの左右方向、幅方向又は横方向とする。
【０００４】
特許文献１には、従来の吸収パッドであって、長手方向中間部の吸収コアの有る領域に、長方形状の掛止手段を設けたもの、が開示されている。しかし、この吸収パッドを取付けたパンツを着用者に装着するときには、該吸収パッドの長手方向の両端部に着用者の脚が当たって、該吸収パッドの位置ずれや折れ曲がりが生じやすい。
【０００５】
特許文献１には、改良された吸収パッドであって、吸収パッドの長手方向両端部の吸収コアの無い領域に、該領域の幅方向全体にわたる横長帯状の掛止手段が設けられたもの、又は、該領域の幅方向両端部に１つずつ横長帯状の掛止手段が設けられたもの、が開示されている。しかし、これらの改良された吸収パッドを着用物の内側表面に取付けるときには、該吸収コアの無い（剛性が小さい）領域に掛止手段が設けられているので、該掛止手段が設けられた領域が製造工程や包装工程で該吸収パッドの内側或いは外側に折れ曲がりやすく、このため、該吸収パッドを着用物の内側表面に取り付けにくくなる。また、該吸収パッドの長手方向の離れた両端部で、横長の該掛止手段の全体の位置合わせをするのが容易ではなく、位置ずれが生じやすい。さらに、着用物を履いた状態で該吸収パッドの位置ずれを直す場合や交換する場合、該掛止手段を横方向に完全に引き剥がすことは、該吸収パッドを横方向の略全体にわたって着用物から離すことを必要とするところ、掛止手段を剥がす際に該吸収パッドがよじれるため、引き剥がした該掛止手段が誤って着用物の別の部位や該吸収パッド自体に付着してしまうことが起こりやすく、操作が容易ではない。該吸収パッドがよじれないようにするには、該吸収パッドを長手方向に引きはがせば良いが、横長の掛止手段を縦方向に引き剥がすこととなるため、強い力が必要であるのに加えて着用物を押さえておく必要も生じるので、片手で操作することは困難となり、老人や障がい者には容易ではない。
【０００６】
特許文献２には、他の従来の吸収パッドであって、吸収パッドの前側部及び後側部の左右に１つずつ、縦長の長方形状の止着部材が設けられたものが開示されている。止着部材は、吸収パッドの左右側縁から１０ｍｍ以上内方で、かつ、吸収体の左右側縁から１０ｍｍ以上内方の位置にある。止着部材同士の横方向の間隔は５０ｍｍ〜９０ｍｍ離れている。しかし、この吸収パッドは、前後左右に離れた４箇所に止着部材が配置されているので、該吸収パッドを着用物の内側表面に取付けるときに、該パッドが折れ曲がってシワが寄らないように４箇所の位置合わせするのは容易ではない。該パッドが折れ曲がってシワが寄った状態で止着してしまうと、排泄物が漏れるおそれがある。
【先行技術文献】
【特許文献】
【０００７】
【特許文献１】特開２０００−１３９９８２号公報
【特許文献２】特許第５８３３３４５号公報
【発明の概要】
【発明が解決しようとする課題】
【０００８】
本発明は、上記の事情を考慮したものであり、着用物への取付け及び位置合わせが容易な吸収パッドを提供することを目的とする。
【課題を解決するための手段】
【０００９】
本発明の一の態様は、着用者の鼠径部から臀部への方向である前後方向を縦方向とする吸収パッドであって、縦長の液保持性の吸収体と、該吸収体の上面を覆う、液透過性のトップシートと、  該吸収体の下面を覆う、液不透過性のボトムシートと、縦方向に伸縮し且つ該トップシートの横方向の両端部に沿った領域で起立する部分を有する起立シートと、着用物に着脱可能に掛止するフック小片が集合した、縦方向の長さが２０ｍｍ以上５０ｍｍ以下であり且つ横方向の長さが１０ｍｍ以上２０ｍｍ以下であるフック部材と、複数の該フック部材が横方向に間隔を有して並列して固定された、縦方向の長さが２０ｍｍ以上５０ｍｍ以下であり且つ横方向の長さが３０ｍｍ以上７０ｍｍ未満であるフック部材固定領域と、該ボトムシートの該吸収体とは反対側の面にあり、該フック部材固定領域を有する着用物対向面と、を備え、該フック部材固定領域は、該吸収体の前部の前端側の領域及び後部の後端側の領域の両方であって且つ横方向の中央部の領域の夫々を、該着用物対向面に投影した領域であることを特徴とする。
【００１０】
本発明の他の態様は、前記態様の吸収パッドにおいて、更に、前記フック部材を表面に固定したシートが、前記フック部材固定領域に固定される。
【００１１】
【００１２】
本発明は、前記各態様に限定されない。本発明の更なる詳細、特徴、機能、及び効果は、以下の本発明の好ましい例示的な実施形態の説明によって更に明らかになる。
【図面の簡単な説明】
【００１３】
【図１】本発明の一の実施形態である吸収パッドの弾性体が収縮力を発揮していない状態での底面図である。
【図２】図１の吸収パッドのＩＩ―ＩＩ線断面を、トップシートを上方に配置して示した模式図である。
【図３】図１の吸収パッドのＩＩＩ―ＩＩＩ線断面を、トップシートを上方に配置して示した模式図である。
【図４】本発明の他の実施形態である吸収パッドの弾性体が収縮力を発揮していない状態での底面図である。
【図５】図４の吸収パッドのＶ―Ｖ線断面を、トップシートを上方に配置して示した模式図である。
【発明を実施するための形態】
【００１４】
図１ないし図３は、本発明の一の実施形態である吸収パッド１を示している。吸収パッド１は、着用者の前後方向すなわち着用者の鼠径部から臀部への方向を、縦方向とする。吸収パッド１は、上層吸収体２、下層吸収体３、トップシート４、ボトムシート５、着用物対向面５ｄ、起立シート６、弾性体７、及び、フック部材８を備えている。吸収パッド１は、図示しない使い捨ておむつやパンツなどの着用物の内側表面に取付けて、失禁用パッド、尿取りパッドとして使用される。
【００１５】
吸収体２，３は、液保持性を有しており、尿などの体液を素早く吸収して、内部に保持する。吸収体２，３は、着用者の前後方向を縦方向とする、縦長の形状である。吸収体２，３は夫々、着用者の鼠径部に対応する前部２ａ，３ａ、着用者の臀部に対応する後部２ｂ，３ｂ、及び、着用者の股間部に対応する中間部２ｃ，３ｃを有している。吸収体２，３は夫々、四隅２ｄ，２ｄ，２ｄ，２ｄ及び３ｄ，３ｄ，３ｄ，３ｄが丸みを有している。上層吸収体２の縦方向の中間部２ｃは、幅が略一定であり、且つ、前部２ａ及び後部２ｂの各最大幅よりも狭い。下層層吸収体３の縦方向の中間部３ｃは、幅が略一定であり、且つ、前部３ａ及び後部３ｂの各最大幅よりも狭い。
【００１６】
上層吸収体２は前部２ａ及び後部２ｂが略同じ形状及び大きさである。下層吸収体３も前部３ａ及び後部３ｂが略同じ形状及び大きさである。そのため、吸収パッド１は前後の区別なく使用することができる。これに限らず、吸収パッドの種類やサイズに応じて、吸収体２，３の前部２ａ，３ａと後部２ｂ，３ｂの形状や大きさを異ならせてもよい。
【００１７】
下層吸収体３の縦方向の長さは、横方向中央部の前端３ｅ及び後端３ｆ間が最も長くなっている。下層吸収体３の横方向の幅は、着用者の鼠径部上部に対応する前部３ａの縦方向中間部の吸収体領域、及び、着用者の臀部に対応する後部３ｂの縦方向中間部の吸収体領域が最も広くなっている。これに限らず、前端３ｅ及び後端３ｆは縦方向の外向きに突出しなくてもよい。
【００１８】
上層吸収体２は、下層吸収体３の輪郭の範囲内にあり、下層吸収体３の上に全体的に重なっている。本発明の吸収体は、このようなものに限られず、全体が一つの吸収体である一層構造でもよく、また、三層以上に重なった構造でもよく、また、複数の吸収体が部分的に積層された構造であってもよい。
【００１９】
吸収体２，３は、例えば、ロールシート状のパルプを解繊した吸水性繊維と、粉末状又は顆粒状の高吸水性ポリマーとを、吸引ドラムの周面に設置された成形型へ空気搬送し、成形型の中に吸引しながら堆積させて成形し、かかる成形物を吸水紙や不織布（図示しない）で包むことにより製造される。吸収体２，３は、材料の種類は同じであるが、これに限らず、上層吸収体２と下層吸収体３の材料の種類や配合割合を異なるものとして、夫々がより適切な機能や作用効果を奏するようにしてもよい。
【００２０】
トップシート４は、吸収体２，３全体の上面を覆っている。トップシート４は、着用者の前後方向を縦方向とし、縦長の形状であり、四隅４ａ，４ａ，４ａ，４ａが丸みを有している。トップシート４の縦方向の長さは、横方向中央部の前端４ｂ及び後端４ｃ間が最も長くなっている。トップシート４は、着用者の肌側に配置される。トップシート４は、液透過性を有しており、排出された尿や血液等の液状体は、トップシート４を透過して、吸収体２，３へ移る。トップシート４は液透過性を有し、例えば、ポリエチレン、ポリプロピレン、ポリエステル、ナイロン、レーヨン等の化学繊維、綿、セルロース等の天然繊維、またはこれらの組合せからなる不織布である。トップシート４は不織布に限られず、例えば液透過可能に形成された有孔フィルム、ティシュ、もしくはそれらの積層体、又はそれらを適宜つなぎ合わせてシート状にしたものでも良い。
【００２１】
ボトムシート５は、吸収体２，３全体の下面を覆っている。ボトムシート５はトップシート４と略同じ輪郭を有する。ボトムシート５は、着用者の前後方向を縦方向とし、縦長の形状であり、四隅５ａ，５ａ，５ａ，５ａが丸みを有している。ボトムシート５の縦方向の長さは、横方向中央部の前端５ｂ及び後端５ｃ間が最も長くなっている。ボトムシート５は、液不透過性を有しており、例えば、ポリエチレンフィルムなどの液不透過性の材料で形成される。ボトムシート５は、トップシート４を透過した液状体や、吸収体２，３が吸収し又は保持しきれなかった液状体が、外部へ漏れるのを防止する。
【００２２】
ボトムシート５の吸収体２，３と反対側の表面は、使い捨ておむつやパンツなどの着用物に対向する、吸収パッド１の着用物対向面５ｄを構成する。
【００２３】
起立シート６，６は、縦長の形状であり、後述する弾性体７を有し、トップシート４の横方向両端部の領域に沿って起立する部分を有する。起立シート６，６は、ボトムシート５の着用物対向面５ｄの横方向両端部に接着剤などで固定され、トップシート４及びボトムシート５の横方向両端縁に沿った折り目６ａ，６ａでトップシート４の上方へ折り返されている。起立シート６，６は，先端側の折り目６ｂ，６ｂでトップシート４側に折り返された折り返し部６ｃ，６ｃを有している。起立シート６，６は、トップシート４の横方向の周縁部に固定されている。また、先端側の起立する部分以外は、トップシート４の縦方向両端部に固定されている。
【００２４】
起立シート６は、液不透過性を有しており、例えば、ポリエチレン、ポリプロピレン、ポリエステル、ナイロン、レーヨン等の化学繊維、綿、セルロース等の天然繊維、又はこれらの組合せなどの材料からなる不織布である。起立シート６は、不織布に限られず、例えば、樹脂フィルム、ティッシュ、伸縮材、若しくは、それらの積層体、又はそれらを適宜つなぎ合わせてシート状としたものでもよい。
【００２５】
起立シート６，６は、縦方向に伸縮させる弾性体７を有する。弾性体７ａ，７ａは、吸収体２及び３の横方向両端部に沿うように、起立シート６，６の根本側の折り目６ａ，６ａの近傍に配置される。弾性体７ｃ，７ｃは、下層吸収体３の前部３ａの縦方向略中央から後部３ｂの縦方向略中央までの範囲で、起立シート６，６の先端側の折り目６ｂ，６ｂの内側に配置される。弾性体７ｂ，７ｂは、弾性体７ｃ，７ｃと略同じ長さであり、弾性体７ｃ，７ｃの横方向外側に間隔を有して並列している。弾性体７の本数や位置は、上記のものに限られない。各弾性体７の収縮力によって、起立シート６，６が起立すると共に収縮して立体ギャザーを形成し、着用者の股間部に密接して、排泄物等が横漏れするのを防止する。
【００２６】
弾性体７は、例えば、天然ゴム、ポリウレタン樹脂、伸縮性のホットメルト等の伸縮可能な糸状の材料により形成される。弾性体７は、糸状の弾性体だけでなく、起立シート６，６の所望の位置及び範囲で縦方向に伸縮させる帯状又はシート状の弾性体であってもよい。
【００２７】
フック部材８は、使い捨ておむつやパンツなどの着用物の表面に着脱可能に掛止するフック小片が集合したフック部材であり、面ファスナーとして知られる適切なフック部材を用いてよい。吸収パッド１の縦方向に長い２つのフック部材８，８が、横方向に間隔を有して並列に配置されている。並列するフック部材の数は、２つに限らず、３つ以上であってもよい。フック部材８の縦方向が吸収パッド１の縦方向と一致するので、フック部材８の位置合わせ及び取付けが容易であり、フック部材８の取外しも小さな力で可能である。また、比較的短いフック部材を間隔を有して並列すれば、安定して掛止できると共に、取外しが容易である。
【００２８】
フック部材８は、吸収パッド１の着用物対向面５ｄのフック部材固定領域に、接着剤や熱溶着などによって固定される。該フック部材固定領域は、下層吸収体３の縦方向両端部である前部３ａの前端３ｅ側の領域及び後部３ｂの後端３ｆ側の領域であって、且つ横方向中央部の領域の夫々を、ボトムシート５の着用物対向面５ｄに投影した領域である。上層吸収体２は、下層吸収体３の上に、下層吸収体３の輪郭の範囲内で、全体的に重なって、固定されている。該フック部材固定領域は、上層吸収体２の縦方向両端部である前部２ａの前端側の領域及び後部２ｂの後端側の領域であって、且つ横方向中央部の領域の夫々を、ボトムシート５の着用物対向面５ｄに投影した領域にも重なっている。複数の吸収体を部分的に又は全体的に積層させた吸収体全体についての前記フック部材固定領域は、このような吸収体全体の縦方向両端部の両方であって且つ横方向中央部の領域の夫々を、ボトムシートの着用物対向面に投影した領域であることが好ましい。またこれに限らず、フック部材は、吸収体２，３の縦方向両端部の一方であって且つ横方向中央部の領域だけに設けても良い。
【００２９】
フック部材８が固定される前記フック部材固定領域は、一般的な大人の手のひらの大きさより小さい範囲内にあることが好ましい。例えば、前記フック部材固定領域の前後方向の長さは、１ｃｍ〜８ｃｍ、好ましくは２ｃｍ〜５ｃｍである。前記フック部材固定領域の左右方向の長さは、２ｃｍ〜１０ｃｍであり、好ましくは３ｃｍ〜８ｃｍである。フック部材８も、一般的な大人の手のひらの大きさより小さい範囲内にあることが好ましい。例えば、２本のフック部材が並列する場合、各フック部材の縦方向の長さは、１ｃｍ〜８ｃｍ、好ましくは２ｃｍ〜５ｃｍである。各フック部材の横方向の長さは、０．５ｃｍ〜３ｃｍ、好ましくは１ｃｍ〜２ｃｍである。フック部材及び前記フック部材固定領域が前記範囲内の大きさである場合には、吸収体の前端側の横方向中央部と後端側の横方向中央部との２箇所を位置合わせして、トップシート４側から片手の手のひらで押しつけることにより、フック部材を着用物に容易に掛止させて、吸収パッドを着用物に取付けることができる。また、着用物から剥がす時も吸収パッドの縦方向の一方の端部を片手で持って軽く引き剥がすことができる。このとき着用物とは反対方向である上方に剥がす動作となるため、誤って着用物の別の部位に再度付着してしまうおそれがなく、老人や障がい者でも交換が容易である。
【００３０】
本発明のフック部材８は、吸収パッド１の縦方向に長い形状に限られない。例えば、略正方形状の複数のフック部材を、吸収パッド１の縦方向に間隔を有して断続的に直列に並べると共に、複数のかかるユニットを吸収パッド１の横方向に間隔を有して並列に配置してもよい。このようなフック部材８を固定する前記フック部材固定領域も、一般的な大人の手のひらの大きさより小さい範囲内にあることが好ましい。
【００３１】
弾性体７が収縮力を発揮して収縮すると、起立シート６，６は、弾性体７ａ，７ａが根本近傍にある縦方向中間部を中心として起立すると共に、弾性体７ｂ，７ｃが縦方向に配置された先端部が収縮して吸収パッド１の四隅を引っ張る。吸収パッド１は、上層吸収体２及び下層吸収体３の夫々の四隅が丸みを有している。そのため、吸収パッド１は、縦方向両端がボトムシート５側に凸となるようにゆるやかに湾曲した形状になると共に、横方向両端がボトムシート５側に凸となるようにゆるやかに湾曲した形状となる。その結果、ボトムシート５の着用物対向面５ｄのフック部材固定領域に固定されたフック部材８，８が、着用物側に張り出す。特に、フック部材８，８が固定されたフック部材固定領域は、下層吸収体３の上に上層吸収体２が全体的に積層された領域に重なるので、厚みと剛性が増している。上層吸収体２の四隅が丸みを有することで、吸収パッド１全体の湾曲がより強化される。従って、本発明の吸収パッド１は、着用物対向面５ｄのフック部材固定領域に固定されたフック部材８，８が着用物側に張り出すので、着用物への位置合わせ及び取付けが容易になる。
【００３２】
本発明の吸収パッドは、公知の様々な吸収パッドの製造方法を用いて製造することができる。図１に示す吸収パッド１にフック部材８，８を設ける場合、例えば、長いテープ状のフック部材を横方向の中心線で２本に切断し、この２本のテープを所望の長さに切断して２つのフック部材８，８を得る。この２つのフック部材８，８を、ボトムシート５の着用物対向面５ｄに固定する。このようにして、本発明のフック部材８を備えた吸収パッド１を容易に製造することができる。また、間隔を有して並列した３つのフック部材８，８，８を設ける場合は、上記の製造工程において、長いテープ状のフック部材を横方向に３本に切断すればよい。本発明の吸収パッドの製造工程では、各シートの材料であるウェブの流れる方向と同じ方向で、フック部材が連続するテープを流して、切断して、配置して、固定できる。そのため、吸収パッドの種類やサイズに応じて適切な係合強度が得られるように、吸収パッドに固定するフック部材の数及び長さを適宜変更することが容易である。フック部材の種類を変更して面積当たりの係合強度が変わる場合にも、フック部材の数及び長さを適宜変更することでフック部材の材料の量を適切にしてパッド取り付けの係合力を調整することができ、またコストの合理化もし易くなる。
【００３３】
次に、図４及び図５は、本発明の他の実施形態である吸収パッド１０を、弾性体が収縮力を発揮していない状態で示している。吸収パッド１０は、吸収パッド１と同様、図示しない使い捨ておむつやパンツなどの着用物の内側表面に取付けて、失禁用パッド、尿取りパッド、生理用ナプキン等として使用される。吸収パッド１０は、上層吸収体２、下層吸収体３、トップシート４、ボトムシート５、着用物対向面５ｄ、起立シート６、弾性体７、及び、フック部材８を備えており、これらの構造及び機能は吸収体１のものと同じなので説明を省略する。吸収パッド１０は、吸収パッド１とは異なり、フック部材用シート９を備えている。
【００３４】
図４及び図５に示すように、吸収パッド１０は、間隔を有して並列した２つの縦方向に長いフック部材８，８を表面に固定したフック部材用シート９が、吸収パッド１０の着用物対向面５ｄのフック部材固定領域に接着剤などで固定される。吸収パッド１０のフック部材用シート９の表面に固定されたフック部材８、及び、前記フック部材固定領域は、吸収パッド１の止着部８及び前記フック部材固定領域の各々と同じ構造及び機能を有するので、説明を省略する。
【００３５】
フック部材用シート９の表面に固定されるフック部材８は、縦方向に長い形状に限られない。例えば、略正方形状のフック部材を、吸収パッド１０の横方向に間隔を有して並べると共に、吸収パッド１０の縦方向にも間隔を有して並べて、フック部材用シートの表面に固定してもよい。また、２つの略正方形状のフック部材を吸収パッド１０の横方向に間隔を有して並べて、フック部材用シートの表面に固定し、複数のこのユニットを吸収パッド１の縦方向に間隔を有して前記フック部材固定領域に固定してもよい。これらのフック部材用シートを固定される前記フック部材固定領域も、一般的な大人の手のひらの大きさより小さい範囲内にあることが好ましい。
【００３６】
吸収パッド１０を製造する方法としては、例えば、フック部材用シート９の材料である長いシート材の表面に、２つのフック部材８，８の材料である２本の長いテープ状のフック部材を一定の間隔を開けて連続して固定した、フック部材付きテープを予め準備する。この工程はパッドの製造工程と同じライン上で行われることが望ましいが、あらかじめ別工程で準備されたものを使用しても良い。このフック部材付きテープを、吸収パッドの種類やサイズに応じた所望の長さに切断して、フック部材８，８の固定されたフック部材用シート９を得て、これを前記フック部材固定領域にそれぞれ固定する。このようにすれば、並列する複数のフック部材を一度に搬送してボトムシートに接着できるため吸収パッド１０を容易に製造することができる。
【００３７】
フック部材用シート９は、例えば、ポリエチレンフィルムなどの樹脂フィルムや不織布などで形成されるが、これに限らず、フック部材とボトムシートの両方と接着剤などで接着可能であり、さらに使用者がフック部材を着用物から取り外す際に破断や剥離が起らない強度がある素材であれば良い。
【００３８】
本発明は、前記の各実施形態に限定されない。本発明の範囲は、少なくとも、前記の各実施形態から自明な変形例、本発明の本質を変更しない変形例を含む。
【産業上の利用可能性】
【００３９】
本発明の吸収パッドは、使い捨ておむつやパンツなどの着用物の内側表面に取付けて、失禁用パッド、尿取りパッドとして使用することができる。
【符号の説明】
【００４０】
１、１０：吸収パッド、  ２：上層吸収体、  ２ａ：前部、  ２ｂ：後部、  ２ｃ：縦方向の中間部、  ２ｄ：四隅、  ３：下層吸収体、  ３ａ：前部、  ３ｂ：後部、  ３ｃ：縦方向の中間部、  ３ｄ：四隅、  ３ｅ：前端、  ３ｆ：後端、  ４：トップシート、  ４ａ：四隅、  ５：ボトムシート、  ５ａ：四隅、  ５ｄ：着用物対向面、  ６：起立シート、  ７ａ，７ｂ，７ｃ：弾性体、  ８：フック部材、  ９：フック部材用シート